(57)【要約】  【課題】  手動回転ドアであっても、自動回転ドアであっても、人が誤って挟まれた時に怪我をしない構成とした回転ドアを提供することである。【解決手段】  内側ドア扉３Ａと外側ドア扉３Ｂとをそれぞれ備えるドア扉３を複数配設する回転ドア１とし、前記外側ドア扉３Ｂと前記内側ドア扉３Ｂをスプリング部材と蝶番とで連結して、回転ドア１の回転方向とは逆方向に前記外側ドア扉３Ｂを回動自在な構成とした。【選択図】    図１
2005344350.tif 000002
【特許請求の範囲】
【請求項１】
回転自在な中心軸体に複数のドア扉を備えた回転ドアであって、
前記ドア扉を内側ドア扉と該内側ドア扉よりも幅の小さい外側ドア扉とで構成し、
前記外側ドア扉と前記内側ドア扉を、バネ性を有する第一連結手段を介して連結し、
前記内側ドア扉と前記外側ドア扉とが直線状に配列する方向に付勢すると共に、前記内側ドア扉と前記外側ドア扉とが直線状となる姿勢から、前記外側ドア扉が前記内側ドア扉の連結部から回転ドアの回転方向とは逆方向に、前記付勢力に抗して回動可能な構成としたことを特徴とする回転ドア。
【請求項２】
前記第一連結手段が蝶番とスプリング部材とから成っており、
前記蝶番を、前記内側ドア扉と前記外側ドア扉とが直線状となる姿勢から、前記外側ドア扉が回転ドアの回転方向とは逆方向に回動可能に装着すると共に、
前記スプリング部材を、前記内側ドア扉と前記外側ドア扉とが直線状に配列する方向に付勢するよう装着したことを特徴とする請求項１に記載の回転ドア。
【請求項３】
前記第一連結手段が半円状の本体部の両側に直線状部を備える構成の板バネ部材であって、前記内側ドア扉と前記外側ドア扉とを直線状に保持すると共に、前記板バネ部材のバネ力に抗して、前記外側ドア扉が回転ドアの回転方向とは逆方向に回動する構成としたことを特徴とする請求項１に記載の回転ドア。
【請求項４】
前記内側ドア扉を前記中心軸体にバネ性を有する第二連結手段を介して連結し、
前記内側ドア扉が前記中心軸体から放射状に整列する方向に付勢すると共に、前記内側ドア扉が前記中心軸体から直線状に突出する姿勢から、前記内側ドア扉が回転ドアの回転方向とは逆方向に回動可能な構成としたことを特徴とする請求項１に記載の回転ドア。
【請求項５】
前記第二連結手段が半円状の本体部の両側に直線状部を備える構成の板バネ部材であって、前記内側ドア扉と前記中心軸体との接合部の、回転ドアの回転方向の裏面側に装着する構成としたことを特徴とする請求項４に記載の回転ドア。
【請求項６】
前記第二連結手段が、前記内側ドア扉と前記中心軸体との接合部の、回転ドアの回転方向の裏面側に装着する蝶番とダンパー部材とから構成されていることを特徴とする請求項４に記載の回転ドア。
【請求項７】
回転ドアの上部の、ドア扉同士間のそれぞれのほぼ中間に、その一端を前記中心軸体に固着し他端を前記ドア扉の幅とほぼ同じ長さまで延設した補助棒を、前記中心軸体から放射状に突出して設けると共に、それぞれのドア扉と該ドア扉の回転方向の前後に位置する前記補助棒とを、それぞれスプリング部材で連結する構成としたことを特徴とする請求項１から６のいずれかに記載の回転ドア。
【請求項８】
前記中心軸体を駆動モータを介して回転する構成とすると共に、前記外側ドア扉または前記内側ドア扉のいずれかの変位を検知して前記駆動モータを減速し、さらに前記変位が大きくなれば前記駆動モータを停止する構成としたことを特徴とする請求項１から７のいずれかに記載の回転ドア。
【発明の詳細な説明】
【技術分野】
【０００１】
本発明は、回転ドアに関するものである。
【背景技術】
【０００２】
回転ドアは、複数のドア扉を備えており、回転中あるいは停止中のいずれであっても、常時、建物の内外を遮断する構成としているので、空調を行っている建物や外気の侵入を嫌うオフィス等にとっては好都合な出入口であり、最近よく見られるドアである。
【０００３】
従来の回転ドアは、木枠或いは金属製枠にガラス板をはめ込んだ構成のドア扉を複数（例えば４枚）を、回転自在な中心軸体に円周上等配して均等に配設した構成として、前記ドア扉と前記中心軸体とが一体的に回転自在な構成である。
【０００４】
例えば４枚のドア扉からなる回転ドアでは、それぞれ９０°の角度毎にドア扉を設けると共に、その４枚のドア扉を回転自在な中心軸体に放射状に取り付けている。また、これらの回転ドアは、人自身が人力で回転する手動回転ドアと、電動モータ等を利用して回転する自動回転ドアとがある。
【０００５】
手動回転ドアの場合には、ドア扉の重量を比較的軽量とし、人力によって軽く回転するような構成としている。そのために、回転力も比較的低く、人が誤って挟まれても、その危険性は低い。
【０００６】
自動回転ドアの場合には、常時一定の回転速度でドア扉を回転さすか、もしくは、人がドア扉に触ることを検知して回転開始する等して、電動モータにより自動的に回転する構成であり、人が誤って挟まれると危険である。
【０００７】
そのために、自動回転ドアのドア扉の先端に柔軟なエッジ部材を装着すると共に、人が挟まれたら変位する前記エッジ部材の変位を検知して、その回転を停止する構成とした回転ドアの安全装置が既に公開されている。（例えば、特許文献１参照）
【特許文献１】実公昭５３−２２４６９号公報（第１−３頁、第２図）
【発明の開示】
【発明が解決しようとする課題】
【０００８】
前記の手動回転ドアの場合でも、体の小さい幼児の場合には、回転しているドア扉に誤って挟まれると怪我をしたりして事故となることがある。
【０００９】
また、自動回転ドアの場合では、人が誤って挟まれた後に、そのエッジ部材の変位を検知して、ドア扉の回転を停止する構成であり、前記ドア扉の回転が完全に停止されるまでに、挟まれた人の身体を傷付けることがあった。
【００１０】
本発明の目的は、上記問題点を解消するために、手動回転ドアであっても、自動回転ドアであっても、人が誤って挟まれた時に怪我をしない構成とした回転ドアを提供することである。
【課題を解決するための手段】
【００１１】
上記の目的を達成するために請求項１に係る発明は、回転自在な中心軸体に複数のドア扉を備えた回転ドアであって、前記ドア扉を内側ドア扉と該内側ドア扉よりも幅の小さい外側ドア扉とで構成し、前記外側ドア扉と前記内側ドア扉を、バネ性を有する第一連結手段を介して連結し、前記内側ドア扉と前記外側ドア扉とが直線状に配列する方向に付勢すると共に、前記内側ドア扉と前記外側ドア扉とが直線状となる姿勢から、前記外側ドア扉が前記内側ドア扉の連結部から回転ドアの回転方向とは逆方向に回動可能な構成としたことを特徴としている。
【００１２】
上記の構成を有する請求項１に係る発明によれば、回転ドアの回転方向に押圧しても直線状態を維持するが、前記ドアの回転方向と逆方向には容易に変位可能な外側ドア扉を備える回転ドアとすることができる。そのために、回転ドアの回転により、外側ドア扉と固定壁との間に、人の身体の一部が挟まれても、前記外側ドア扉が容易に変位し、挟まれた身体を強く圧迫せず、傷付けることがない。
【００１３】
請求項２に係る発明は、前記第一連結手段が蝶番とスプリング部材とから成っており、前記蝶番を、前記内側ドア扉と前記外側ドア扉とが直線状となる姿勢から、前記外側ドア扉が回転ドアの回転方向とは逆方向に回動可能に装着すると共に、前記スプリング部材を、前記内側ドア扉と前記外側ドア扉とが直線状に配列する方向に付勢するよう装着したことを特徴としている。
【００１４】
上記の構成を有する請求項２に係る発明によれば、蝶番とスプリング部材を用いることで、前記外側ドア扉を押して回転ドアを所定の回転方向に回転させることができると共に、人の身体の一部が挟まった場合には、回転方向とは逆の方向に容易に変位するドア扉を構成することができる。
【００１５】
請求項３に係る発明は、前記第一連結手段が半円状の本体部の両側に直線状部を備える構成の板バネ部材であって、前記内側ドア扉と前記外側ドア扉とを直線状に保持すると共に、前記板バネ部材のバネ力に抗して、前記外側ドア扉が回転ドアの回転方向とは逆方向に回動する構成としたことを特徴とする。
【００１６】
上記の構成を有する請求項３に係る発明によれば、板バネ部材を用いて、前記外側ドア扉を押して回転ドアを所定の回転方向に回転させることができると共に、人の身体の一部が挟まった場合には、回転方向とは逆の方向に容易に変位するドア扉を構成することができる。
【００１７】
請求項４に係る発明は、前記内側ドア扉を前記中心軸体にバネ性を有する第二連結手段を介して連結し、前記内側ドア扉が前記中心軸体から放射状に整列する方向に付勢すると共に、前記内側ドア扉が前記中心軸体から直線状に突出する姿勢から、前記内側ドア扉が回転ドアの回転方向とは逆方向に回動可能な構成としたことを特徴とする。
【００１８】
上記の構成を有する請求項４に係る発明によれば、内側ドア扉が回転ドアの回転方向と逆方向には容易に変位可能としているので、回転ドアの回転により、外側ドア扉と固定壁との間に、人の身体の一部が挟まれても、ドア扉の変位量をさらに大きくすることができ安全である。
【００１９】
請求項５に係る発明は、前記第二連結手段が半円状の本体部の両側に直線状部を備える構成の板バネ部材であって、前記内側ドア扉と前記中心軸体との接合部の、回転ドアの回転方向の裏面側に装着する構成としたことを特徴とする。
【００２０】
上記の構成を有する請求項５に係る発明によれば、板バネ部材を用いて内側ドア扉を中心軸体に装着することで、回転ドアの回転方向には変位せずに、回転方向と逆の方向には容易に変位するドア扉を構成することができる。
【００２１】
請求項６に係る発明は、前記第二連結手段が、前記内側ドア扉と前記中心軸体との接合部の、回転ドアの回転方向の裏面側に装着する蝶番とダンパー部材とから構成されていることを特徴とする。
【００２２】
上記の構成を有する請求項６に係る発明によれば、ダンパー部材を介して、前記内側ドア部材を前記中心軸体に弾性的に接続して、回転ドアの回転方向と逆の方向に変位自在な構成とすることができる。
【００２３】
請求項７に係る発明は、回転ドアの上部の、ドア扉同士間のそれぞれのほぼ中間に、その一端を前記中心軸体に固着し他端を前記ドア扉の幅とほぼ同じ長さまで延設した補助棒を、前記中心軸体から放射状に突出して設けると共に、それぞれのドア扉と該ドア扉の回転方向の前後に位置する前記補助棒とを、それぞれスプリング部材で連結する構成としたことを特徴とする。
【００２４】
上記の構成を有する請求項７に係る発明によれば、補助棒を追加して新たなスプリング部材を介してドア扉同士を連結する構成となるので、回転ドアとしてのドア扉の強度を向上すると共に、前記連結手段の有するバネ力と協働する構成となるので、必要なバネ力に調整することが容易となる。
【００２５】
請求項８に係る発明は、前記中心軸体を駆動モータを介して回転する構成とすると共に、前記外側ドア扉または前記内側ドア扉のいずれかの変位を検知して前記駆動モータを減速し、さらに前記変位が大きくなれば前記駆動モータを停止する構成としたことを特徴とする。
【００２６】
上記の構成を有する請求項８に係る発明によれば、自動回転ドアであっても、人が挟まれそうになった場合に、前記外側ドア扉が回転とは逆方向に容易に変位すると共に、この変位を検知して回転速度を減速し、さらには停止する構成としたので、人の身体を傷付けることがない。
【発明の効果】
【００２７】
本発明によれば、内側ドア扉と外側ドア扉とをそれぞれ備えるドア扉を複数配設する回転ドアとし、前記外側ドア扉と前記内側ドア扉をスプリング部材と蝶番とで連結して、回転ドアの回転方向とは逆方向に前記外側ドア扉を回動自在な構成としたので、人が挟まれそうになっても、前記外側ドア扉が回転とは逆方向に容易に変位して、人の身体を傷付けることがない。さらには、前記内側ドア扉もドアの回転方向とは逆方向に回動自在な構成とすることで、ドア扉の変位が容易となり、変位量も大きくなるので、さらに人の身体を傷付けない構成の回転ドアとすることができる。
【発明を実施するための最良の形態】
【００２８】
手動回転ドアであっても、自動回転ドアであっても、人が誤って挟まれた時に怪我をしない構成とした回転ドアを提供するという目的を、内側ドア扉と外側ドア扉とをそれぞれ備えるドア扉を複数配設する回転ドアとし、前記外側ドア扉と前記内側ドア扉をスプリング部材と蝶番とで連結して、ドアの回転方向とは逆方向に前記外側ドア扉を回動自在な構成とすることで実現した。
【実施例】
【００２９】
以下、本発明に係る回転ドアの実施例について、図１から図５に基づいて説明する。
【００３０】
図１は本発明に係る回転ドアの全体平面図である。図２には内側ドア扉と外側ドア扉とを連結する連結手段を示しており、（ａ）はスプリング部材と蝶番を備える要部拡大図であり、（ｂ）は板バネを備える例であり、（ｃ）はドア扉の変位を検知する検知手段を備えた例を示す平面図である。図３は自動回転ドアの一例を示す正面図である。図４には中心軸体と内側ドア扉との連結部を示しており、（ａ）は蝶番を備えた例であり、（ｂ）は板バネ部材を装着した例であり、（ｃ）にはダンパー部材を介して内側ドア扉を装着した例を示している。図５は本発明に係る補助棒を備えた例であり、（ａ）は平面図であり、（ｂ）は正面図である。
【００３１】
図１に示す回転ドア１は、回転自在な中心軸体２に複数のドア扉３を装着したドアであって、建物の壁５に設けられる入口部の両側に設けられる側壁４、４間に配設されるドアである。
【００３２】
前記側壁４、４は、同一の中心を持つ円弧状の壁であって、その中心に前記中心軸体２を備える回転ドア１が配設されている。そのために、回転ドア１に装着されるドア扉３の回転中心は、前記側壁４、４と同一中心であり、前記ドア扉３の外縁部に設けるエッジ部材３Ｃが前記側壁４、４の内壁に沿って摺動しながら回転する構成である。
【００３３】
そのために、前記エッジ部材３Ｃを軟らかく弾性のあるゴム板やブラシ等で構成すると、前記側壁４、４の内壁との間を密封することができ、回転中あるいは停止中のいずれであっても、常時、建物の内外を遮断する構成とすることができる。
【００３４】
上記のような構成としているので、回転ドアを備える出入口は、空調を行っている建物や外気の侵入を嫌うオフィス等にとっては好都合な出入口といえる。
【００３５】
また、本発明に係る回転ドア１は、ドア扉３を、内側ドア扉３Ａと外側ドア扉３Ｂとで構成し、前記内側ドア扉３Ａと前記外側ドア扉３Ｂを、バネ性を有する第一連結手段６を介して連結する構成としている。前記連結手段６は、前記内側ドア扉３Ａと前記外側ドア扉３Ｂとを直線状に配列する方向に付勢すると共に、前記内側ドア扉３Ａと前記外側ドア扉３Ｂとが直線状となる姿勢から、前記外側ドア扉３Ｂがドアの回転方向とは逆方向に、前記付勢力に抗して回動可能な構成としている。
【００３６】
そのために、回転ドア１が回転中に、外側ドア扉３Ｂと前記側壁４、４との間に人が挟まれたり、身体や衣類の一部が挟まれても、前記外側ドア扉３Ｂが容易に変位し、挟まれた身体を強く圧迫せず、傷を負わせることがない。
【００３７】
また、前記外側ドア扉３Ｂは、前記該内側ドア扉３Ａよりも幅の小さい扉で、挟まれる身体を圧迫しない程度の幅があればよく、前記該内側ドア扉３Ａの幅の半分程度以下でよい。
【００３８】
前記連結手段６として、図２（ａ）に示す例は、回転ドアの回転方向Ａに対して反対側にあたる、前記内側ドア扉３Ａと前記外側ドア扉３Ｂのそれぞれの裏面を連結する蝶番６０と、それぞれの表面とを連結するスプリング部材６１とから構成している。該スプリング部材６１は、前記内側ドア扉３Ａと前記外側ドア扉３Ｂとが直線状となる（図中の実線に示す）ように付勢していると共に、前記蝶番６０を介して、前記スプリング部材６１の付勢力に抗して、前記外側ドア扉がドアの回転方向とは逆方向（図中の想像線に示す）に回動可能（矢印Ｂ方向に）となる。
【００３９】
また、前記スプリング部材６１ではなく、蝶番６０部にねじりコイルバネを設けて、害蝶番６０自体にバネ性を持たせる構成としてもよい。さらには、図２（ｂ）に示すように、半円状の本体部の両側に直線状部を備える構成の板バネ部材６２を装着して、前記蝶番６０とスプリング部材６１に替えてもよい。前記板バネ部材６２は、前記蝶番６０と同様に前記内側ドア扉３Ａと前記外側ドア扉３Ｂのそれぞれの裏面を連結しているので、前記内側ドア扉３Ａと前記外側ドア扉３Ｂとを直線状に保持すると共に、前記板バネ部材６２のバネ力に抗して、前記外側ドア扉３Ｂが、回転ドアの回転方向とは逆方向に回動することができる。
【００４０】
図２（ｃ）には外側ドア扉３Ｂの変位を検知する変位センサＳの一例を示している。これは、外側ドア扉３Ｂの変位を検知すると、別に設けるブレーキ（不図示）を作動させて、回転ドアの回転を停止するためのものである。また、回転ドアを駆動モータを介して自動回転している場合は、前記変位センサＳの検知信号により、前記駆動モータを減速、あるいは停止させる構成とすればよい。
【００４１】
その場合には、図に示すように、前記内側ドア扉３Ａと直線状にある外側ドア扉３Ｂａが少し変位した位置３Ｂｂまで変位したことを検知すると減速を開始して回転速度を低下させて、さらに変位が進み位置３Ｂｃまで大きく変位した時に、停止させるように構成すればよい。もし、変位が３Ｂｂまでしか到達せず、減速したために、不具合が解消された場合には、正常な回転速度に戻すような制御を行うことも可能である。
【００４２】
駆動モータを備える自動回転ドアの一例を図３に示す。床Ｆと天井Ｔとにそれぞれベアリング等の回転補助部材２０Ａ、２０Ｂを介して回転自在な中心軸体２の先端軸２１にギヤ等の回転伝達部材２２を装着し、駆動モータ２４側の伝達部材２３を介して回転駆動する構成としている。２５は制御装置であって、基準となる回転速度を設定すると共に、前記変位センサＳからの検知信号から、駆動モータ２４の減速や停止を行い、回転ドア１Ａの回転を制御している。
【００４３】
ドア扉３は、前記したものと同様に、内側ドア扉３Ａと外側ドア扉３Ｂとで構成されており、前記内側ドア扉３Ａと前記外側ドア扉３Ｂを、バネ性を有する第一連結手段６を介して連結する構成としている。本実施例では図に示すように４個の第一連結手段６を装着しているが、前記内側ドア扉３Ａと前記外側ドア扉３Ｂとをしっかり連結する個数でよく、３個でも５個でも構わない。
【００４４】
３Ｃは前記したように軟らかく弾性のあるゴム板やブラシ等からなるエッジ部材であるが、床Ｆ及び天井Ｔとの間を密封するために、同様の材質からなるエッジ部材３Ｄを別に装着してもよい。
【００４５】
前記連結手段６は、前記内側ドア扉３Ａと前記外側ドア扉３Ｂとを直線状に配列する方向に付勢すると共に、前記内側ドア扉３Ａと前記外側ドア扉３Ｂとが直線状となる姿勢から、前記外側ドア扉３Ｂがドアの回転方向とは逆方向に、前記付勢力に抗して回動可能な構成としている。
【００４６】
また、図４に示すように、内側ドア扉３Ａを中心軸体２に対して回動自在に装着することもできる。
【００４７】
図４（ａ）には、内側ドア扉３Ａを、蝶番３２を介して矢印Ｃ方向に回動自在としたものを示しており、中心軸体２に固着するドア取付部材３０に、ねじりコイルバネを装着してバネ性を有する蝶番３２により前記内側ドア扉３Ａを、矢印Ｃ方向に回動自在に取り付けた構成としている。また、前記蝶番３２を装着した面とは反対側の面にストッパー３１を装着し、回転ドアを回転方向Ａに押す際のストッパーとすることもできる。つまり、前記ストッパー３１は、内側ドア扉３Ａの位置を規制する部材であるが、前記蝶番３２がストッパーとなる形状であれば不要な部材である。
【００４８】
また、図４（ｂ）に示すように、前記蝶番３２に替えて、半円状の本体部の両側に直線状部を備える構成の板バネ部材３３を、前記内側ドア扉３Ａと前記中心軸体２との接合部に装着してもよい。前記板バネ部材３３は、回転ドアの回転方向の裏面側に装着する構成であり、前記内側ドア扉３Ａを前記中心軸体２から正しく放射状に突出する位置に保持すると共に、前記板バネ部材３３のバネ力に抗して、前記内側ドア扉３Ａが、回転ドアの回転方向とは逆方向に回動することができる。
【００４９】
さらに、図４（ｃ）に示すように、内側ドア扉３Ａをドア取付部材３０に蝶番３２Ａを介して、開閉自在に取り付けると共に、ダンパー部材３４を付勢部材として装着してもよい。該ダンパー部材３４は、前記内側ドア扉３Ａと前記中心軸体２との接合部の回転ドアの回転方向の裏面側に装着する伸縮自在な弾性部材であり、スプリングまたは流体圧ダンパーなどの大きな付勢力を備えているものであればよく、特に大型の回転ドアに有効な設備となる。この構成であっても、矢印Ａ方向に回転中の回転ドアに身体の一部や衣類の一部が挟まれても、内側ドア扉３Ａ自体が図中の矢印Ｃ方向に変位することができ、挟まれる程度を緩和することができる。
【００５０】
上記で説明した、内側ドア扉３Ａを中心軸体２に対して回動自在に装着するとした構成であれば、外側ドア扉３Ｂの変位により回転中の回転ドアに挟まれる際の挟まれる程度を緩和するだけでなく、内側ドア扉３Ａ自体も変位する構成であるので、さらに大きく変位することができ、挟まれる程度をさらに緩和することができる。
【００５１】
さらに、内側ドア扉３Ａ自体が変位する構成であれば、ドア扉を内側ドア扉３Ａのみで構成することも可能である。この時には、前記内側ドア扉３Ａの変位を検知するセンサを設けて、回転ドアの回転速度を減速したり、回転を停止する構成とすればよい。
【００５２】
ただし、ドア扉３を内側ドア扉３Ａと該内側ドア扉３Ａよりも幅の小さい外側ドア扉３Ｂとで構成すれば、容易に変位する小さな外側ドア扉３Ｂの変位を確実に素早く検知することができるので、人が誤って挟まれた時に直ちに検知して、怪我をする前に回転ドアを停止することができ、人体を傷つけない構成の回転ドアとして好適である。
【００５３】
図５には本発明に係る補助棒を備えた例を示しており、図５（ａ）に示すように、それぞれのドア扉３の間に補助棒１０をそれぞれ配設し、中心軸体２に固着したものである。また、ドア扉３を内側ドア扉３Ａと外側ドア扉３Ｂとで構成し、該外側ドア扉３Ｂを前記内側ドア扉３Ａに対して開閉自在となるように連結手段６Ａを装着すると共に、外側ドア扉３Ｂと隣り合う補助棒同士をそれぞれスプリング部材１１で連結した構成としている。
【００５４】
前記連結手段６Ａとして、前記したバネ性を有する第一連結手段６を使用することができるが、スプリング部材１１を介して連結しているので、単に開閉する蝶番部材を使用してもよい。
【００５５】
前記補助棒１０は、図５（ｂ）に示すように、ドア扉３の上部に位置する部材であり、その一端を中心軸体２の上部に固着し、他端を外側ドア扉３Ｂまで延設している。また、外側ドア扉３Ｂの外よりの部位Ｂａと、隣り合う補助棒１０の外よりの部位１０ａとをそれぞれ連結するスプリング部材１１を装着している。
【００５６】
上記のように、前記外側ドア扉３Ｂを隣り合うスプリング部材１１で引き合いながら保持する構成としているので、前記外側ドア扉３Ｂは前記内側ドア扉３Ａと、連結手段６Ａを介して直線状に配列すると共に、前記内側ドア扉３Ａと前記外側ドア扉３Ｂとが直線状となる姿勢から、前記外側ドア扉３Ｂがドアの回転方向とは逆方向に回動可能な構成となっている。
【００５７】
そのために、内側ドア扉３Ａと外側ドア扉３Ｂとを単に開閉自在な連結手段６Ａで接続し、補助棒１０との間にスプリング部材１１を装着した構成とすることで、回転ドアの回転中に身体の一部や衣類の一部が挟まれても、前記外側ドア扉３Ｂが容易に変位して、傷付く程には強く圧迫しないような構成とすることができる。
【００５８】
また、この回転ドアが自動回転ドアの場合には、前記外側ドア扉３Ｂの変位を検知するセンサを設けて、回転ドアの回転速度を減速したり、回転を停止する構成とすればよい。
【００５９】
さらに、内側ドア扉３Ａが中心軸体２と蝶番を介して回動自在とされた構成では、前記補助棒１０の中ほどの部位１０ｂと前記内側ドア扉３Ａの外よりの部位Ａａとを連結するスプリング部材１２を装着する。
【００６０】
この構成であれば、前記内側ドア扉３Ａも、隣り合うスプリング部材１２で引き合いながら保持する構成としているので、前記内側ドア扉３Ａは前記中心軸体２から正しく放射状に突設するように第二連結手段６Ｂを介して配列されると共に、前記内側ドア扉３Ａがドアの回転方向とは逆方向に回動可能な構成となっている。
【００６１】
また、第二連結手段６Ｂとしては、図４（ａ）に示す蝶番３２や、図４（ｂ）に示す板バネ部材３３や、図４（ｃ）に示す蝶番３２Ａとダンパー部材３４等を採用することができる。このように、前記内側ドア扉３Ａがドアの回転方向には回動しないストッパーを備える形状の蝶番としておれば、前記内側ドア扉３Ａを手で強く押して回転ドアを回転させても、前記内側ドア扉３Ａが変位しないので好適である。
【００６２】
上記したように、内側ドア扉と外側ドア扉とをそれぞれ備えるドア扉を複数配設する回転ドアとし、前記外側ドア扉と前記内側ドア扉をスプリング部材と蝶番とで連結して、ドアの回転方向とは逆方向に前記外側ドア扉を回動自在な構成としたので、人が挟まれそうになっても、前記外側ドア扉が回転とは逆方向に容易に変位して、人の身体を傷付けることがない。さらには、前記内側ドア扉もドアの回転方向とは逆方向に回動自在な構成とすることで、ドア扉の変位が容易となり、変位量も大きくなるので、さらに人の身体を傷付けない構成の回転ドアとすることができる。
【００６３】
また、前記側壁４の先端部を引戸構成として、人や物が挟まれそうになった時に、前記側壁４自体が逃げるようにして事故を防ぐことも考えられるが、この場合にも、回転ドアのドア扉を内側ドア扉と外側ドア扉とで構成し、該外側ドア扉または前記内側ドア扉のいずれかまたは両方を回動自在とすることで、さらに安全性を高めることができる。
【図面の簡単な説明】
【００６４】
【図１】本発明に係る回転ドアの全体平面図である。
【図２】内側ドア扉と外側ドア扉とを連結する連結手段を示しており、（ａ）はスプリング部材と蝶番を備える要部拡大図であり、（ｂ）は板バネを備える例であり、（ｃ）はドア扉の変位を検知する検知手段を備えた例を示す平面図である。
【図３】自動回転ドアの一例を示す正面図である。
【図４】中心軸体と内側ドア扉との連結部を示しており、（ａ）は蝶番を備えた例であり、（ｂ）は板バネ部材を装着した例であり、（ｃ）にはダンパー部材を介して内側ドア扉を装着した例を示している。
【図５】本発明に係る補助棒を備えた例であり、（ａ）は平面図であり、（ｂ）は正面図である。カッターユニットの全体斜視図である。
【符号の説明】
【００６５】
１  回転ドア
２  中心軸体
３  ドア扉
３Ａ  内側ドア扉
３Ｂ  外側ドア扉
４  側壁
６  第一連結手段
６Ｂ  第二連結手段
１０  補助棒
１１  スプリング部材
１２  スプリング部材
３２  蝶番
３３  板バネ部材
３４  ダンパー部材
６０  蝶番
６１  スプリング部材
６２  板バネ部材
Ａ  （回転ドアの）回転方向
【図１】
2005344350.tif 000003
【図２】
2005344350.tif 000004
【図３】
2005344350.tif 000005
【図４】
2005344350.tif 000006
【図５】
2005344350.tif 000007